(57)【要約】【課題】記録媒体に係る各種の情報の取得を簡便且つ確実に行って、記録媒体の交換の自由度がより大きいインクジェット記録装置を提供する。【解決手段】記録媒体Ｓを保持する記録媒体保持部１１２を着脱自在に装填する装填部と、装填された記録媒体保持部から記録媒体を繰り出して搬送する搬送機構１１と、記録媒体に対してインクを吐出する記録ヘッド２１１とを備えるインクジェット記録装置１００である。記録媒体保持部には、画像記録動作のうちの記録媒体に関連した媒体関連動作に係る媒体関連動作データｄを記憶するＩＣタグ１１６が設けられている。ＩＣタグに記憶されている媒体関連動作データを読み取るＲＦＩＤリーダ／ライタ１１７を備える。ＲＦＩＤリーダ／ライタにより読み取られた媒体関連動作データに基づいて、画像記録動作のうちの媒体関連動作の制御を行う動作制御手段（例えば、ＣＰＵ７）を備える。【選択図】図１
2005119802.tif 000002
【特許請求の範囲】
【請求項１】
ロール状に巻かれた記録媒体を保持する記録媒体保持部を着脱自在に装填する装填部と、前記装填部に装填された前記記録媒体保持部から前記記録媒体を繰り出して搬送する搬送部と、前記記録媒体に対してインクを吐出する記録ヘッドとを備え、前記搬送部により前記記録媒体を搬送し、当該記録媒体に対して前記記録ヘッドからインクを吐出して画像を記録する画像記録動作を実行するインクジェット記録装置であって、
前記記録媒体保持部には、前記画像記録動作のうちの前記記録媒体に関連した媒体関連動作に係る媒体関連動作情報を記憶する情報記憶部が設けられ、
前記情報記憶部に記憶されている前記媒体関連動作情報を読み取る情報読取手段と、
前記情報読取手段により読み取られた前記媒体関連動作情報に基づいて、前記媒体関連動作の制御を行う動作制御手段と、
を備えることを特徴とするインクジェット記録装置。
【請求項２】
前記媒体関連動作情報は、前記記録媒体保持部に保持された前記記録媒体の量に係る媒体量情報を含み、
前記情報読取手段は、前記情報記憶部に記憶されている前記媒体量情報を読み取り、
前記動作制御手段は、前記情報読取手段により読み取られた前記媒体量情報に基づいて、前記媒体関連動作として前記搬送部による前記記録媒体の搬送動作の制御を行うことを特徴とする請求項１に記載のインクジェット記録装置。
【請求項３】
前記搬送部は、前記記録媒体保持部を回転させることにより前記記録媒体を繰り出して搬送する搬送モータを備えることを特徴とする請求項２に記載のインクジェット記録装置。
【請求項４】
前記媒体量情報は、前記記録媒体保持部に保持された前記記録媒体のロール径に係るロール径情報を含み、
前記情報読取手段は、前記情報記憶部に記憶されている前記ロール径情報を読み取り、
前記動作制御手段は、前記情報読取手段により読み取られた前記ロール径情報に基づいて、前記搬送モータの回転速度を制御することを特徴とする請求項３に記載のインクジェット記録装置。
【請求項５】
前記媒体量情報は、前記記録媒体保持部に保持された前記記録媒体の重量に係る媒体重量情報を含み、
前記情報読取手段は、前記情報記憶部に記憶されている前記媒体重量情報を読み取り、
前記動作制御手段は、さらに、前記情報読取手段により読み取られた前記媒体重量情報に基づいて、前記搬送モータの駆動トルクを制御することを特徴とする請求項３又は４に記載のインクジェット記録装置。
【請求項６】
前記記録ヘッドによりインクが吐出される前記記録媒体を吸引して支持するプラテンを備え、
前記媒体関連動作情報は、前記プラテンにより吸引支持される前記記録媒体に関連する媒体吸引関連情報を含み、
前記情報読取手段は、前記情報記憶部に記憶されている前記媒体吸引関連情報を読み取り、
前記動作制御手段は、さらに、前記情報読取手段により読み取られた前記媒体吸引関連情報に基づいて、前記媒体関連動作として前記プラテンによる前記記録媒体の吸引動作の制御を行うことを特徴とする請求項１〜５のいずれか一項に記載のインクジェット記録装置。
【請求項７】
前記記録媒体と前記記録ヘッドとの間隔を調整する間隔調整手段を備え、
前記媒体関連動作情報は、前記記録媒体の厚さに係る媒体厚情報を含み、
前記情報読取手段は、前記情報記憶部に記憶されている前記媒体厚情報を読み取り、
前記動作制御手段は、さらに、前記情報読取手段により読み取られた前記媒体厚情報に基づいて、前記媒体関連動作として前記間隔調整手段による前記記録媒体と前記記録ヘッドとの間隔を調整させる間隔調整動作を制御することを特徴とする請求項１〜６の何れか一項に記載のインクジェット記録装置。
【請求項８】
前記情報記憶部は、前記媒体関連動作情報を記憶するＩＣタグであり、
前記情報読取手段は、前記ＩＣタグからＲＦＩＤ方式により前記媒体関連動作情報を読み取るＲＦＩＤリーダであることを特徴とする請求項１〜７の何れか一項に記載のインクジェット記録装置。
【請求項９】
前記媒体関連動作の実行に基づいて、前記情報記憶部に記憶されている前記媒体関連動作情報を修正する情報修正手段を備え、
前記情報読取手段は、さらに、前記情報記憶部に記憶され前記情報修正手段により修正された前記媒体関連動作情報を読み取ることを特徴とする請求項１に記載のインクジェット記録装置。
【請求項１０】
前記媒体関連動作情報は、前記記録媒体保持部に保持された前記記録媒体の量に係る媒体量情報を含み、
前記記録媒体保持部から繰り出された前記記録媒体の繰出量に係る繰出量情報を算出する繰出量情報算出手段を備え、
前記情報修正手段は、前記繰出量情報算出手段により算出された前記繰出量情報に基づいて、前記情報記憶部に記憶されている前記媒体量情報の修正を行い、
前記動作制御手段は、前記情報読取手段により読み取られた前記媒体量情報に基づいて、前記媒体関連動作として前記搬送部による前記記録媒体の搬送動作の制御を行うことを特徴とする請求項９に記載のインクジェット記録装置。
【請求項１１】
前記搬送部は、前記記録媒体保持部を回転させることにより前記記録媒体を繰り出して搬送する搬送モータを備えることを特徴とする請求項１０に記載のインクジェット記録装置。
【請求項１２】
前記媒体量情報は、前記記録媒体保持部に保持された前記記録媒体のロール径に係るロール径情報を含み、
前記繰出量情報算出手段は、前記繰出量情報として、前記搬送モータの回転駆動により前記記録媒体保持部から繰り出された前記記録媒体の長さに係る繰出長情報を算出し、
前記情報修正手段は、前記繰出量情報算出手段により算出された前記繰出長情報に基づいて、前記情報記憶部に記憶されている前記ロール径情報の修正を行い、
前記動作制御手段は、さらに、前記情報読取手段により読み取られた前記ロール径情報に基づいて、前記搬送モータの回転速度を制御することを特徴とする請求項１１に記載のインクジェット記録装置。
【請求項１３】
前記媒体量情報は、さらに、前記記録媒体保持部に保持された前記記録媒体の重量に係る媒体重量情報を含み、
前記繰出量情報算出手段は、前記繰出量情報として、前記搬送モータの回転駆動により前記記録媒体保持部から繰り出された前記記録媒体の重量に係る繰出重量情報を算出し、
前記情報修正手段は、前記繰出量情報算出手段により算出された前記繰出重量情報に基づいて、前記情報記憶部に記憶されている前記媒体重量情報の修正を行い、
前記動作制御手段は、さらに、前記情報読取手段により読み取られた前記媒体重量情報に基づいて、前記搬送モータの駆動トルクを制御することを特徴とする請求項１１又は１２に記載のインクジェット記録装置。
【請求項１４】
前記情報記憶部は、前記媒体関連動作情報を記憶するＩＣタグであり、
前記情報読取手段は、前記ＩＣタグからＲＦＩＤ方式により前記媒体関連動作情報を読み取るＲＦＩＤリーダであり、
前記情報修正手段は、前記ＩＣタグに記憶されている前記媒体関連動作情報を修正するＲＦＩＤライタであることを特徴とする請求項９〜１３の何れか一項に記載のインクジェット記録装置。
【請求項１５】
インクは、紫外線硬化型インクであり、
前記記録ヘッドから吐出され前記記録媒体上に着弾したインクに紫外線を照射する紫外線照射手段を備えることを特徴とする請求項１〜１４の何れか一項に記載のインクジェット記録装置。
【発明の詳細な説明】
【技術分野】
【０００１】
本発明は、インクジェット記録装置に関する。
【背景技術】
【０００２】
従来より、インクジェット記録装置には、ロール状に巻かれたシート状の記録媒体を繰り出して搬送するものがある。
【０００３】
上記のインクジェット記録装置は、画像記録を様々な材質、厚さ、長さ等の記録媒体を適宜交換して使用することができるようになっており、画像記録を適正に行うためには、使用される記録媒体に関する種々の情報が必要となる。
具体的には、例えば、ロール状態の記録媒体を繰り出す場合、過剰なテンションによる記録媒体の伸びや、繰り出された記録媒体の幅方向におけるテンションの不均一さ等に起因して記録媒体に緩みやシワ等が発生してしまい、搬送ジャムや画像記録時の記録媒体の平面精度の低下等により記録画質の劣化等を引き起こす虞があるため、記録ヘッドと記録媒体との距離を所定の間隔に維持する必要がある。そのためには、記憶媒体のロールの外径に応じてロールの回転速度を制御する必要がある。
ロールの回転速度を制御するためには、記憶媒体の材質、厚さ、幅の情報の他、繰り出されることにより変化するロール外径を把握する必要がある。
しかし、ロール状の記録媒体は、使用途中で交換された後、再び使用されると、ロール外径が分からず、ロールの回転速度を適正に制御することができない。
【０００４】
そこで、例えば、記録媒体がロール状に巻かれたロールシャフトの端面側に、ロールの回転状態を検知するための超音波センサー等の検知手段を設け、この検知手段を用いてロールの半径を検知することにより、記録媒体の搬送を制御する画像形成装置が知られている（例えば、特許文献１参照。）。
このように、記録媒体に係る各種の情報は、画像記録を適正に行う場合には不可欠である。
【特許文献１】特開２０００−２８９９０８号公報
【発明の開示】
【発明が解決しようとする課題】
【０００５】
しかしながら、記録媒体は使用途中で何度も交換されて使用されるため、記録媒体を交換するごとに必要な情報を入力設定しなければならず煩雑であったり、あるいは、例えば、搬送時における搬送条件などが設定されていない記録媒体の交換が制限されるという問題が生じていた。
また、記録媒体の搬送制御においては、上記特許文献１等のように、超音波センサー等の検知手段からの検知信号に基づいてロールの回転速度を時系列的に演算して、駆動モータの制御に係る駆動電圧やパルス数を算出するようになっているため、検知手段を必ず設けなければならないという設計上の制約の問題があった。
【０００６】
本発明の課題は、記録媒体に係る各種の情報の取得を簡便且つ確実に行うことができ、これにより、記録媒体の交換の自由度がより大きいインクジェット記録装置を提供することである。
【課題を解決するための手段】
【０００７】
請求項１に記載の発明は、ロール状に巻かれた記録媒体を保持する記録媒体保持部を着脱自在に装填する装填部と、前記装填部に装填された前記記録媒体保持部から前記記録媒体を繰り出して搬送する搬送部と、前記記録媒体に対してインクを吐出する記録ヘッドとを備え、前記搬送部により前記記録媒体を搬送し、当該記録媒体に対して前記記録ヘッドからインクを吐出して画像を記録する画像記録動作を実行するインクジェット記録装置であって、
前記記録媒体保持部には、前記画像記録動作のうちの前記記録媒体に関連した媒体関連動作に係る媒体関連動作情報を記憶する情報記憶部が設けられ、
前記情報記憶部に記憶されている前記媒体関連動作情報を読み取る情報読取手段と、
前記情報読取手段により読み取られた前記媒体関連動作情報に基づいて、前記媒体関連動作の制御を行う動作制御手段と、
を備えることを特徴としている。
【０００８】
請求項１に記載の発明によれば、装填部に装填される記録媒体保持部には、記録媒体に関連した媒体関連動作に係る媒体関連動作情報を記憶する情報記憶部が設けられ、情報読取手段によって、装填部に装填された記録媒体保持部の情報記憶部から媒体関連動作情報が読み取られるので、記録媒体を交換しても、交換された記録媒体を保持する記録媒体保持部に設けられた情報記憶部から媒体関連動作情報の取得を簡便且つ確実に行うことができ、読み取られた媒体関連動作情報に基づいて、媒体関連動作の制御を行うことができる。このように、記録媒体の交換の自由度がより大きいインクジェット記録装置を提供することができる。
【０００９】
請求項２に記載の発明は、請求項１に記載のインクジェット記録装置において、
前記媒体関連動作情報は、前記記録媒体保持部に保持された前記記録媒体の量に係る媒体量情報を含み、
前記情報読取手段は、前記情報記憶部に記憶されている前記媒体量情報を読み取り、
前記動作制御手段は、前記情報読取手段により読み取られた前記媒体量情報に基づいて、前記媒体関連動作として前記搬送部による前記記録媒体の搬送動作の制御を行うことを特徴としている。
【００１０】
請求項２に記載の発明によれば、請求項１に記載の発明と同様の効果が得られるのは無論のこと、特に、動作制御手段により、読み取られた記録媒体保持部に保持された記録媒体の量に係る媒体量情報に基づいて、搬送部による記録媒体の搬送動作の制御が行われるので、記録媒体保持部に保持された記録媒体の量に基づいて、記録媒体の搬送動作の制御を適正に行うことができる。即ち、記録媒体を交換しても、交換された記録媒体を保持する記録媒体保持部の情報記憶部に記憶されている媒体量情報に基づいて、記録媒体の搬送動作を適正に制御することができる。
【００１１】
請求項３に記載の発明は、請求項２に記載のインクジェット記録装置において、
前記搬送部は、前記記録媒体保持部を回転させることにより前記記録媒体を繰り出して搬送する搬送モータを備えることを特徴としている。
【００１２】
請求項３に記載の発明によれば、請求項２に記載の発明と同様の効果が得られるのは無論のこと、特に、記録媒体の搬送動作において、読み取られた媒体量情報に基づいて、記録媒体保持部を回転させることにより記録媒体を繰り出して搬送する搬送モータを適正に制御することができる。
【００１３】
請求項４に記載の発明は、請求項３に記載のインクジェット記録装置において、
前記媒体量情報は、前記記録媒体保持部に保持された前記記録媒体のロール径に係るロール径情報を含み、
前記情報読取手段は、前記情報記憶部に記憶されている前記ロール径情報を読み取り、
前記動作制御手段は、前記情報読取手段により読み取られた前記ロール径情報に基づいて、前記搬送モータの回転速度を制御することを特徴としている。
【００１４】
請求項４に記載の発明によれば、請求項３に記載の発明と同様の効果が得られるのは無論のこと、特に、記録媒体保持部に保持された記録媒体のロール径に基づいて、搬送モータの回転速度を制御して記録媒体の搬送を適正に行うことができる。即ち、記録媒体を交換しても、交換された記録媒体を保持する記録媒体保持部の情報記憶部に記憶されているロール径情報に基づいて、搬送モータの回転速度の制御を適正に行うことができる。
【００１５】
請求項５に記載の発明は、請求項３又は４に記載のインクジェット記録装置において、
前記媒体量情報は、前記記録媒体保持部に保持された前記記録媒体の重量に係る媒体重量情報を含み、
前記情報読取手段は、前記情報記憶部に記憶されている前記媒体重量情報を読み取り、
前記動作制御手段は、さらに、前記情報読取手段により読み取られた前記媒体重量情報に基づいて、前記搬送モータの駆動トルクを制御することを特徴としている。
【００１６】
請求項５に記載の発明によれば、請求項３又は４に記載の発明と同様の効果が得られるのは無論のこと、特に、記録媒体保持部に保持された記録媒体の重量に基づいて、搬送モータの駆動トルクを制御して記録媒体の搬送を適正に行うことができる。即ち、記録媒体を交換しても、交換された記録媒体を保持する記録媒体保持部の情報記憶部に記憶されている媒体重量情報に基づいて、搬送モータの駆動トルクの制御を適正に行うことができる。
【００１７】
請求項６に記載の発明は、請求項１〜５に記載のインクジェット記録装置において、
前記記録ヘッドによりインクが吐出される前記記録媒体を吸引して支持するプラテンを備え、
前記媒体関連動作情報は、前記プラテンにより吸引支持される前記記録媒体に関連する媒体吸引関連情報を含み、
前記情報読取手段は、前記情報記憶部に記憶されている前記媒体吸引関連情報を読み取り、
前記動作制御手段は、さらに、前記情報読取手段により読み取られた前記媒体吸引関連情報に基づいて、前記媒体関連動作として前記プラテンによる前記記録媒体の吸引動作の制御を行うことを特徴としている。
【００１８】
ここで、媒体吸引関連情報とは、プラテンによる吸引状態を変動させる記録媒体の各種条件に係る情報のことであり、例えば、記録媒体の材質、密度、幅、厚さ等が挙げられる。
【００１９】
請求項６に記載の発明によれば、請求項１〜５に記載の発明と同様の効果が得られるのは無論のこと、特に、プラテンにより吸引支持される記録媒体に関連する媒体吸引関連情報に基づいて、プラテンによる記録媒体の吸引動作を適正に制御することができる。即ち、記録媒体を交換すると、交換された記録媒体に応じてプラテンによる吸引支持の状態が変動する場合があるが、このような場合であっても、交換された記録媒体を保持する記録媒体保持部の情報記憶部に記憶されている媒体吸引関連情報に基づいて、プラテンの吸引動作を適正に制御することができる。
【００２０】
請求項７に記載の発明は、請求項１〜６の何れか一項に記載のインクジェット記録装置において、
前記記録媒体と前記記録ヘッドとの間隔を調整する間隔調整手段を備え、
前記媒体関連動作情報は、前記記録媒体の厚さに係る媒体厚情報を含み、
前記情報読取手段は、前記情報記憶部に記憶されている前記媒体厚情報を読み取り、
前記動作制御手段は、さらに、前記情報読取手段により読み取られた前記媒体厚情報に基づいて、前記媒体関連動作として前記間隔調整手段による前記記録媒体と前記記録ヘッドとの間隔を調整させる間隔調整動作を制御することを特徴としている。
【００２１】
請求項７に記載の発明によれば、請求項１〜６に記載の発明と同様の効果が得られるのは無論のこと、特に、記録媒体の厚さに係る媒体厚情報に基づいて、間隔調整手段による記録媒体と記録ヘッドとの間隔を調整させる間隔調整動作を適正に制御することができる。即ち、記録媒体を交換すると、交換された記録媒体の厚さに応じて記録媒体と記録ヘッドとの間隔が変動する場合があるが、このような場合であっても、交換された記録媒体を保持する記録媒体保持部の情報記憶部に記憶されている媒体厚情報に基づいて、間隔調整手段に記録媒体と記録ヘッドとの間隔を適正に調整させることができる。
【００２２】
請求項８に記載の発明は、請求項１〜７の何れか一項に記載のインクジェット記録装置において、
前記情報記憶部は、前記媒体関連動作情報を記憶するＩＣタグであり、
前記情報読取手段は、前記ＩＣタグからＲＦＩＤ方式により前記媒体関連動作情報を読み取るＲＦＩＤリーダであることを特徴としている。
【００２３】
請求項８に記載の発明によれば、請求項１〜７に記載の発明と同様の効果が得られるのは無論のこと、特に、情報記憶部は、媒体関連動作情報を記憶するＩＣタグであり、情報読取手段は、ＩＣタグからＲＦＩＤ方式により媒体関連動作情報を読み取るＲＦＩＤリーダであるので、ＩＣタグからの媒体関連動作情報の読み取りをＲＦＩＤ方式により適正に行うことができる。また、ＩＣタグを駆動用の電源を必要としない構成とすることにより、記録媒体の変更の際に記録媒体保持部の交換作業を簡便に行うことができる。
【００２４】
請求項９に記載の発明は、請求項１に記載のインクジェット記録装置において、
前記媒体関連動作の実行に基づいて、前記情報記憶部に記憶されている前記媒体関連動作情報を修正する情報修正手段を備え、
前記情報読取手段は、さらに、前記情報記憶部に記憶され前記情報修正手段により修正された前記媒体関連動作情報を読み取ることを特徴としている。
【００２５】
請求項９に記載の発明によれば、請求項１に記載の発明と同様の効果が得られるのは無論のこと、特に、情報修正手段により、媒体関連動作の実行に基づいて、情報記憶部に記憶されている媒体関連動作情報が修正され、情報読取手段により、修正された媒体関連動作情報が読み取られるので、修正された媒体関連動作情報に基づいて、媒体関連動作を適正に制御することができる。即ち、媒体関連動作の実行に従って変化することとなる媒体関連動作情報を修正して、修正された媒体関連動作情報に基づいて媒体関連動作を制御することができるので、従来のように所定の検知手段を設ける必要がなくなる。
【００２６】
請求項１０に記載の発明は、請求項９に記載のインクジェット記録装置において、
前記媒体関連動作情報は、前記記録媒体保持部に保持された前記記録媒体の量に係る媒体量情報を含み、
前記記録媒体保持部から繰り出された前記記録媒体の繰出量に係る繰出量情報を算出する繰出量情報算出手段を備え、
前記情報修正手段は、前記繰出量情報算出手段により算出された前記繰出量情報に基づいて、前記情報記憶部に記憶されている前記媒体量情報の修正を行い、
前記動作制御手段は、前記情報読取手段により読み取られた前記媒体量情報に基づいて、前記媒体関連動作として前記搬送部による前記記録媒体の搬送動作の制御を行うことを特徴としている。
【００２７】
請求項１０に記載の発明によれば、請求項９に記載の発明と同様の効果が得られるのは無論のこと、特に、繰出量情報算出手段により算出された、記録媒体保持部から繰り出された記録媒体の繰出量に係る繰出量情報に基づいて、情報修正手段により、情報記憶部に記憶されている媒体量情報の修正が行われる。即ち、媒体関連動作としての搬送部による記録媒体の搬送動作の進行に従って記録媒体保持部に保持された記録媒体の量が変動することとなるが、記録媒体の量に係る媒体量情報を繰出量情報に基づいて修正することができるので、読み取られた媒体量情報に基づいて、記録媒体の搬送動作を適正に制御することができる。
【００２８】
請求項１１に記載の発明は、請求項１０に記載のインクジェット記録装置において、
前記搬送部は、前記記録媒体保持部を回転させることにより前記記録媒体を繰り出して搬送する搬送モータを備えることを特徴としている。
【００２９】
請求項１１に記載の発明によれば、請求項１０に記載の発明と同様の効果が得られるのは無論のこと、特に、記録媒体の搬送動作において、読み取られた媒体量情報に基づいて、記録媒体保持部を回転させることにより記録媒体を繰り出して搬送する搬送モータを適正に制御することができる。
【００３０】
請求項１２に記載の発明は、請求項１１に記載のインクジェット記録装置において、
前記媒体量情報は、前記記録媒体保持部に保持された前記記録媒体のロール径に係るロール径情報を含み、
前記繰出量情報算出手段は、前記繰出量情報として、前記搬送モータの回転駆動により前記記録媒体保持部から繰り出された前記記録媒体の長さに係る繰出長情報を算出し、
前記情報修正手段は、前記繰出量情報算出手段により算出された前記繰出長情報に基づいて、前記情報記憶部に記憶されている前記ロール径情報の修正を行い、
前記動作制御手段は、さらに、前記情報読取手段により読み取られた前記ロール径情報に基づいて、前記搬送モータの回転速度を制御することを特徴としている。
【００３１】
請求項１２に記載の発明によれば、請求項１１に記載の発明と同様の効果が得られるのは無論のこと、特に、算出された搬送モータの回転駆動により記録媒体保持部から繰り出された記録媒体の長さに係る繰出長情報に基づいて、情報記憶部に記憶されているロール径情報の修正が行われるので、修正されたロール径情報に基づいて、搬送モータの回転速度を適正に制御することができる。即ち、記録媒体の搬送動作の進行に従って記録媒体保持部に保持された記録媒体の長さが減少して、記録媒体のロール径が減少することとなるが、この場合であっても、ロール径情報を修正することによって、搬送モータによる回転速度の制御を適正に行うことができる。
【００３２】
請求項１３に記載の発明は、請求項１１又は１２に記載のインクジェット記録装置において、
前記媒体量情報は、さらに、前記記録媒体保持部に保持された前記記録媒体の重量に係る媒体重量情報を含み、
前記繰出量情報算出手段は、前記繰出量情報として、前記搬送モータの回転駆動により前記記録媒体保持部から繰り出された前記記録媒体の重量に係る繰出重量情報を算出し、
前記情報修正手段は、前記繰出量情報算出手段により算出された前記繰出重量情報に基づいて、前記情報記憶部に記憶されている前記媒体重量情報の修正を行い、
前記動作制御手段は、さらに、前記情報読取手段により読み取られた前記媒体重量情報に基づいて、前記搬送モータの駆動トルクを制御することを特徴としている。
【００３３】
請求項１３に記載の発明によれば、請求項１１又は１２に記載の発明と同様の効果が得られるのは無論のこと、特に、算出された搬送モータの回転駆動により記録媒体保持部から繰り出された記録媒体の重量に係る繰出重量情報に基づいて、情報記憶部に記憶されている媒体重量情報の修正が行われるので、修正された媒体重量情報に基づいて、搬送モータの駆動トルクを適正に制御することができる。即ち、記録媒体の搬送動作の進行に従って記録媒体保持部に保持された記録媒体の重量が減少することとなるが、この場合であっても、媒体重量情報を修正することによって、搬送モータの駆動トルクの制御を適正に行うことができる。
【００３４】
請求項１４に記載の発明は、請求項９〜１３の何れか一項に記載のインクジェット記録装置において、
前記情報記憶部は、前記媒体関連動作情報を記憶するＩＣタグであり、
前記情報読取手段は、前記ＩＣタグからＲＦＩＤ方式により前記媒体関連動作情報を読み取るＲＦＩＤリーダであり、
前記情報修正手段は、前記ＩＣタグに記憶されている前記媒体関連動作情報を修正するＲＦＩＤライタであることを特徴としている。
【００３５】
請求項１４に記載の発明によれば、請求項９〜１３に記載の発明と同様の効果が得られるのは無論のこと、特に、情報記憶部は、媒体関連動作情報を記憶するＩＣタグであり、情報読取手段は、ＩＣタグからＲＦＩＤ方式により媒体関連動作情報を読み取るＲＦＩＤリーダであり、情報修正手段は、ＩＣタグに記憶されている媒体関連動作情報を修正するＲＦＩＤライタであるので、ＩＣタグからの媒体関連動作情報の読み取り及び媒体関連動作情報の修正をＲＦＩＤ方式により適正に行うことができる。また、ＩＣタグを駆動用の電源を必要としない構成とすることにより、記録媒体の変更の際に記録媒体保持部の交換作業を簡便に行うことができる。
【００３６】
請求項１５に記載の発明は、請求項１〜１４の何れか一項に記載のインクジェット記録装置において、
インクは、紫外線硬化型インクであり、
前記記録ヘッドから吐出され前記記録媒体上に着弾したインクに紫外線を照射する紫外線照射手段を備えることを特徴としている。
【００３７】
請求項１５に記載の発明によれば、請求項１〜１４に記載の発明と同様の効果が得られるのは無論のこと、特に、紫外線硬化型インクを用いることでインク吸収性のない記録媒体上にもインク定着を行うことができる。
【発明の効果】
【００３８】
請求項１に記載の発明によれば、記録媒体を交換しても、交換された記録媒体を保持する記録媒体保持部に設けられた情報記憶部から媒体関連動作情報の取得を簡便且つ確実に行うことができ、読み取られた媒体関連動作情報に基づいて、媒体関連動作の制御を行うことができる。このように、記録媒体の交換の自由度がより大きいインクジェット記録装置を提供することができる。
【００３９】
請求項２に記載の発明によれば、記録媒体保持部に保持された記録媒体の量に基づいて、記録媒体の搬送動作の制御を適正に行うことができる。即ち、記録媒体を交換しても、交換された記録媒体を保持する記録媒体保持部の情報記憶部に記憶されている媒体量情報に基づいて、記録媒体の搬送動作を適正に制御することができる。
【００４０】
請求項３に記載の発明によれば、記録媒体の搬送動作において、読み取られた媒体量情報に基づいて、記録媒体保持部を回転させることにより記録媒体を繰り出して搬送する搬送モータを適正に制御することができる。
【００４１】
請求項４に記載の発明によれば、記録媒体保持部に保持された記録媒体のロール径に基づいて、搬送モータの回転速度を制御して記録媒体の搬送を適正に行うことができる。即ち、記録媒体を交換しても、交換された記録媒体を保持する記録媒体保持部の情報記憶部に記憶されているロール径情報に基づいて、搬送モータの回転速度の制御を適正に行うことができる。
【００４２】
請求項５に記載の発明によれば、記録媒体保持部に保持された記録媒体の重量に基づいて、搬送モータの駆動トルクを制御して記録媒体の搬送を適正に行うことができる。即ち、記録媒体を交換しても、交換された記録媒体を保持する記録媒体保持部の情報記憶部に記憶されている媒体重量情報に基づいて、搬送モータの駆動トルクの制御を適正に行うことができる。
【００４３】
請求項６に記載の発明によれば、プラテンにより吸引支持される記録媒体に関連する媒体吸引関連情報に基づいて、プラテンによる記録媒体の吸引動作を適正に制御することができる。即ち、記録媒体を交換すると、交換された記録媒体に応じてプラテンによる吸引支持の状態が変動する場合があるが、このような場合であっても、交換された記録媒体を保持する記録媒体保持部の情報記憶部に記憶されている媒体吸引関連情報に基づいて、プラテンの吸引動作を適正に制御することができる。
【００４４】
請求項７に記載の発明によれば、記録媒体の厚さに係る媒体厚情報に基づいて、記録媒体と記録ヘッドとの間隔を調整させる間隔調整動作を適正に制御することができる。即ち、記録媒体を交換すると、交換された記録媒体の厚さに応じて記録媒体と記録ヘッドとの間隔が変動する場合があるが、このような場合であっても、交換された記録媒体を保持する記録媒体保持部の情報記憶部に記憶されている媒体厚情報に基づいて、記録媒体と記録ヘッドとの間隔を適正に調整することができる。
【００４５】
請求項８に記載の発明によれば、ＩＣタグからの媒体関連動作情報の読み取りをＲＦＩＤ方式により適正に行うことができる。また、ＩＣタグを駆動用の電源を必要としない構成とすることにより、記録媒体の変更の際に記録媒体保持部の交換作業を簡便に行うことができる。
【００４６】
請求項９に記載の発明によれば、修正された媒体関連動作情報に基づいて、媒体関連動作を適正に制御することができる。即ち、媒体関連動作の実行に従って変化することとなる媒体関連動作情報を修正して、修正された媒体関連動作情報に基づいて媒体関連動作を制御することができるので、従来のように所定の検知手段を設ける必要がなくなる。
【００４７】
請求項１０に記載の発明によれば、記録媒体保持部から繰り出された記録媒体の繰出量に係る繰出量情報に基づいて、情報記憶部に記憶されている媒体量情報の修正を行うことができる。即ち、媒体関連動作としての搬送部による記録媒体の搬送動作の進行に従って記録媒体保持部に保持された記録媒体の量が変動することとなるが、記録媒体の量に係る媒体量情報を繰出量情報に基づいて修正することができるので、読み取られた媒体量情報に基づいて、記録媒体の搬送動作を適正に制御することができる。
【００４８】
請求項１１に記載の発明によれば、記録媒体の搬送動作において、読み取られた媒体量情報に基づいて、記録媒体保持部を回転させることにより記録媒体を繰り出して搬送する搬送モータを適正に制御することができる。
【００４９】
請求項１２に記載の発明によれば、修正されたロール径情報に基づいて、搬送モータの回転速度を適正に制御することができる。即ち、記録媒体の搬送動作の進行に従って記録媒体保持部に保持された記録媒体の長さが減少して、記録媒体のロール径が減少することとなるが、この場合であっても、ロール径情報を修正することによって、搬送モータによる回転速度の制御を適正に行うことができる。
【００５０】
請求項１３に記載の発明によれば、修正された媒体重量情報に基づいて、搬送モータの駆動トルクを適正に制御することができる。即ち、記録媒体の搬送動作の進行に従って記録媒体保持部に保持された記録媒体の重量が減少することとなるが、この場合であっても、媒体重量情報を修正することによって、搬送モータの駆動トルクの制御を適正に行うことができる。
【００５１】
請求項１４に記載の発明によれば、ＩＣタグからの媒体関連動作情報の読み取り及び媒体関連動作情報の修正をＲＦＩＤ方式により適正に行うことができる。また、ＩＣタグを駆動用の電源を必要としない構成とすることにより、記録媒体の変更の際に記録媒体保持部の交換作業を簡便に行うことができる。
【００５２】
請求項１５に記載の発明によれば、紫外線硬化型インクを用いることでインク吸収性のない記録媒体上にもインク定着を行うことができる。
【発明を実施するための最良の形態】
【００５３】
以下に、本発明について、図面を用いて具体的な態様を説明する。ただし、発明の範囲は、図示例に限定されない。
ここで、図１は、本発明を適用した好適な一実施の形態として例示するインクジェット記録装置の概略構成を示す側面図であり、図２は、図１のインクジェット記録装置の概略構成を示す正面図である。なお、図２においては、後述するキャリッジ機構の図示を省略している。また、図３は、図１のインクジェット記録装置の制御系の要部構成を示す機能ブロック図である。
【００５４】
図１〜図３に示すように、インクジェット記録装置１００は、シート状の記録媒体Ｓを搬送する搬送機構（搬送部）１と、搬送機構１により搬送される記録媒体Ｓに対して記録ヘッド２１１からインクを吐出して画像記録を行うキャリッジ機構２と、記録ヘッド２１１のインク吐出側に配置されるプラテン３と、上記各構成を支持する装置ケース４と、ＲＡＭ５と、ＲＯＭ６と、ＣＰＵ７とを備えている。
なお、図１に示すように、プラテン３の上面は、平坦且つ水平に維持されており、記録媒体Ｓの搬送方向を副走査方向とし、副走査方向と直交する方向（記録媒体Ｓの幅方向）を主走査方向というものとする。
【００５５】
装置ケース４は、その上部にキャリッジ機構２を保持し、キャリッジ機構２以外の各構成を内蔵、或いは、その外部に保持する筐体である（図１及び図２では側壁板４１、４１のみ図示）。
また、装置ケース４の底部には、インクジェット記録装置１００を移動可能とするキャスター４２と、下方に延ばすことによりインクジェット記録装置１００の移動を規制するスタッド４３とが設けられている。
【００５６】
搬送機構１は、キャリッジ機構２に記録媒体Ｓを供給する二つの記録媒体供給部１１と、記録媒体供給部１１とキャリッジ機構２との間に設けられた上流側ローラ部１２と、キャリッジ機構２よりも記録媒体Ｓの搬送方向の下流側に設けられた下流側ローラ部１３と、下流側ローラ部１３よりも記録媒体Ｓの搬送方向の下流側に設けられ、キャリッジ機構２により画像記録された記録媒体Ｓを巻き取る記録媒体巻取部１４とを備えている。
【００５７】
ここで、記録媒体Ｓは、シート状であれば特に限定されるものではないが、浸透性を有しない素材にもその液滴が付着可能なカチオン重合性光硬化インクを使用することから、例えば、インクジェット記録装置１００に一般的に使用される記録紙の他、白色コート紙、ビニール系、ＰＰ、ＰＥＴ等の樹脂系シート、アルミ合金等の薄延金属、アルミ蒸着を施したバナー用メディア等の種々の記録媒体Ｓが適用可能である。
【００５８】
記録媒体供給部１１の各々は、フレーム部１１１に保持されており、紙管Ｒにロール状に巻かれた記録媒体Ｓを保持する記録媒体保持部１１２と、駆動シャフト１１３ａを介して記録媒体保持部１１２を所定方向に回転駆動させる駆動部１１３と、紙管Ｒの両端部にそれぞれ設けられたフランジ１１２ａを介して記録媒体保持部１１２を設置するためのシャフト１１４と、記録媒体保持部１１２から繰り出された記録媒体Ｓをキャリッジ２１側に案内する案内ローラ１１５とを備えている。
【００５９】
フレーム部１１１は、装置ケース４の内部下方において固定支持されており、装置ケース４の側壁板４１と平行に設けられ、案内ローラ１１５、シャフト１１４及び駆動シャフト１１３ａを回転自在に支持する左右両側の側板１１１ａ、１１１ａと、これらの側板１１１ａ、１１１ａを互いに平行且つ所定間隔で連結する三本の角ステーパイプ１１１ｂ、…とを備えている。
【００６０】
二つの側板１１１ａは、少なくともインクジェット記録装置１００で使用しうる最大幅の記録媒体Ｓよりも大きな間隔で配設されている。
また、側板１１１ａは、例えば略三角形状に形成され、その斜辺に相当する部位が二箇所において弧状に切り欠かれており、これら切り欠き１１１ｃの近傍に記録媒体保持部１１２がシャフト１１４及び駆動シャフト１１３ａを介して着脱自在に設置されている。ここで、切り欠き１１１ｃが設けられたフレーム部１１１、シャフト１１４及び駆動シャフト１１３ａにより、記録媒体保持部１１２が装填される装填部が構成されている。
【００６１】
各記録媒体保持部１１２は、紙管Ｒの内部に、当該インクジェット記録装置１００による画像記録動作のうちの記録媒体Ｓに関連した媒体関連動作に係る媒体関連動作データｄを記憶するＩＣタグ（情報記憶部）１１６が設けられている。
ここで、媒体関連動作データｄには、例えば、記録媒体保持部１１２に保持された記録媒体Ｓのロール径に係るロール径データｄ１や、記録媒体Ｓの重量に係る媒体重量データｄ２や、プラテン３により吸引支持される記録媒体Ｓに関連する例えば、記録媒体Ｓの材質、密度、幅、厚さ等の媒体吸引関連データｄ３や、記録媒体Ｓの厚さに係る媒体厚データｄ４等が含まれている（図３参照）。
ここで、媒体重量データｄ２は、例えば、記録媒体Ｓの寸法と密度からなる情報であっても良い。
【００６２】
また、フレーム部１１１の記録媒体保持部１１２よりもフランジ１１２ａの径方向外方となる部分には、ＩＣタグ１１６に対して所定間隔を空けるようにＲＦＩＤリーダ／ライタ１１７が設けられている。
このＲＦＩＤリーダ／ライタ１１７は、ＣＰＵ７の制御下にて実行される画像記録動作の所定のタイミングでＩＣタグ１１６に記憶されている媒体関連動作データｄをＲＦＩＤ方式により読み取る情報読取手段を構成している。具体的には、ＲＦＩＤリーダ／ライタ１１７は、ＩＣタグ１１６からロール径データｄ１や、媒体重量データｄ２や、媒体吸引関連データｄ３や、媒体厚データｄ４等を読み取るようになっている。
また、ＲＦＩＤリーダ／ライタ１１７は、搬送動作において後述する繰出量算出手段としてのＣＰＵ７により算出された、記録媒体保持部１１２から繰り出された記録媒体Ｓの繰出量に係る繰出量データに基づいて、ＩＣタグ１１６に記憶されている媒体関連動作データｄをＲＦＩＤ方式により書き込み修正する情報修正手段を構成している。具体的には、ＲＦＩＤリーダ／ライタ１１７は、ＣＰＵ７により算出された記録媒体保持部１１２から繰り出された記録媒体Ｓの長さに係る繰出長データに基づいてロール径データｄ１を修正したり、記録媒体保持部１１２から繰り出された記録媒体Ｓの重量に係る繰出重量データに基づいて媒体重量データｄ２を修正するようになっている。
ここで、ＲＦＩＤ（Radio Frequency Identification）方式とは、リーダ／ライタを直接的に通さずに電磁誘導波により非接触型のＩＣタグ１１６からデータを読み取り又は書き込みする方式のことである。
【００６３】
各駆動部１１３は、ＣＰＵ７の制御下にて記録媒体Ｓを所定の単位送り量で繰り出すように周期的に回転駆動する駆動モータ（搬送モータ）１１３ｂと、駆動モータ１１３ａの出力軸に接続され、駆動モータ１１３ｂの駆動力を記録媒体保持部１１２に伝達する駆動シャフト１１３ａとを備えている。
駆動モータ１１３ｂは、記録ヘッド２１１からのインク吐出動作に対応させて記録媒体保持部１１２から記録媒体Ｓを繰り出すように、ＣＰＵ７からの制御信号に応じて所定の回転動作を行うようになっている。
駆動シャフト１１３ａは、その回転中心軸が紙管Ｒの回転中心軸と略平行となるように側板１１１ａ間に設けられている。また、駆動シャフト１１３ａの一端部（図２における右端部）近傍には、紙管Ｒの一端部側のフランジ１１２ａの外周に設けられた歯車と噛合する歯車１１３ｃが設けられている。一方、駆動シャフト１１３ａの他端部には、紙管Ｒの他端部側のフランジ１１２ａの外周に設けられた歯車と接触して、回転するフランジに従動する従動ローラ１１３ｄが設けられている。なお、従動ローラ１１３ｄは、種々の幅の記録媒体Ｓに対応させる上で、駆動シャフト１１３ａの他端部からその中間部を超える程度の範囲までの広い幅を有するように構成されている。
【００６４】
各シャフト１１４は、その全長に渡ってローラ状に形成されており、回転中心軸が駆動シャフト１１３ａ及び紙管Ｒの回転中心軸と略平行となるように側板１１１ａ間に設けられている。
各案内ローラ１１５は、側板１１１ａの切り欠き１１１ｃの上部にて、その回転中心線が駆動シャフト１１３ａ、紙管Ｒ及びシャフト１１４の回転中心軸と略平行となるように側板１１１ａ間に設けられている。
【００６５】
紙管Ｒ及び案内ローラ１１５の主走査方向の幅は、インクジェット記録装置１００で使用し得る最大の記録媒体Ｓの幅よりも大きく設定されている。
【００６６】
上流側ローラ部１２は、記録媒体供給部１１から供給された記録媒体Ｓをキャリッジ機構２側に搬送するための上流側送りローラ１２１と、プラテン３と略同じ高さに設けられ、記録媒体Ｓの搬送を円滑化する上流側補助搬送ローラ１２２とを備えている。
上流側送りローラ１２１は、その回転中心線が案内ローラ１１５の回転中心軸と略平行となるように、支軸１２１ａを介して側壁板４１間に回転自在に設けられている。
上流側補助搬送ローラ１２２は、その回転中心軸が上流側送りローラ１２１の回転中心軸と略平行となるように側壁板４１間に回転自在に設けられている。
これら上流側送りローラ１２１及び上流側補助搬送ローラ１２２の主走査方向の幅は、インクジェット記録装置１００で使用し得る最大の記録媒体Ｓの幅よりも大きく設定されている。
【００６７】
下流側ローラ部１３は、キャリッジ機構２により画像記録された記録媒体Ｓを記録媒体巻取部１４側に搬送するための下流側送りローラ１３１と、プラテン３と略同じ高さに設けられ、記録媒体Ｓの搬送を円滑化する下流側補助搬送ローラ１３２とを備えている。
下流側送りローラ１３１は、その回転中心線が上流側送りローラ１２１の回転中心軸と略平行となるように、支軸１３１ａを介して側壁板４１間に回転自在に設けられている。
下流側補助搬送ローラ１３２は、その回転中心軸が下流側送りローラ１３１の回転中心軸と略平行となるように側壁板４１間に回転自在に設けられている。
これら下流側送りローラ１３１及び下流側補助搬送ローラ１３２の主走査方向の幅は、インクジェット記録装置１００で使用し得る最大の記録媒体Ｓの幅よりも大きく設定されている。
【００６８】
記録媒体巻取部１４は、画像記録済の記録媒体Ｓをロール状に巻いて保持する記録媒体保持部１４１と、駆動シャフト１４２ａを介して記録媒体保持部１４１を所定方向に回転駆動させる駆動部１４２と、紙管Ｒの両端部にそれぞれ設けられたフランジ１１２ａを介して記録媒体保持部１４１を設置するためのシャフト１４３とを備えている
ここで、記録媒体保持部１４１は、上記した記録媒体供給部１１に備わる記録媒体保持部１１２と略等しい構成であるので、その説明を省略する。
【００６９】
駆動部１４２は、ＣＰＵ７の制御下にて回転駆動する駆動モータ１４２ｂと、駆動モータ１４２ｂの出力軸に接続され、駆動モータ１４２ｂの駆動力を記録媒体保持部１４１に伝達する駆動シャフト１４１ａとを備えている。
駆動シャフト１４２ａは、その回転中心軸が紙管Ｒの回転中心軸と略平行となるように装置ケース４の側壁板４１間に設けられている。また、駆動シャフト１４２ａの一端部側（図２における右端部側）には、紙管Ｒの一端部側のフランジ１１２ａの外周に設けられた歯車と噛合する歯車１４２ｃが設けられている。一方、駆動シャフト１４２ａの他端部には、紙管Ｒの他端部側のフランジ１１２ａの外周に設けられた歯車と接触して、回転するフランジに従動する従動ローラ１４２ｄが設けられている。なお、従動ローラ１４２ｄは、種々の幅の記録媒体Ｓに対応させる上で、駆動シャフト１４２ａの他端部からその中間部を超える程度の範囲までの広い幅を有するように構成されている。
【００７０】
シャフト１４３は、その全長に渡ってローラ状に形成されており、その回転中心軸が紙管Ｒの回転中心軸と略平行となるように、装置ケース４の側壁板４１間に回転自在に設けられている。
【００７１】
プラテン３は、上流側ローラ部１２の上流側補助搬送ローラ１２２と下流側ローラ部１３の下流側補助搬送ローラ１３２との間に設けられ、記録ヘッド２１１に対向する上面に沿わせて記録媒体Ｓが搬送される。
プラテン３の主走査方向の幅は、インクジェット記録装置１００で使用し得る最大の記録媒体Ｓの幅よりも大きく設定されている。また、プラテン３の上面は、記録ヘッド２１１のインク吐出方向に垂直であって平坦、且つ、水平となっている。さらに、このプラテン３の上面の主走査方向の幅は、キャリッジ２１の搬送範囲内であってインク吐出を行う領域よりも広く設定されており、当然のことながらインクジェット記録装置１００で使用し得る最大の記録媒体Ｓの幅よりも広く設定されている。
【００７２】
また、プラテン３の上面には、無数の吸引孔（図示略）が、最大サイズの記録媒体Ｓに対応する範囲で形成されている。これらの吸引孔は図示しない負圧源と連通されており、記録媒体Ｓの搬送時において各吸引孔が外気の吸引を行うことにより記録媒体Ｓがプラテン３の上面に密着し、画像形成時の記録媒体Ｓの画像形成面の平面状態を維持することとなる。
【００７３】
キャリッジ機構２は、プラテン３の上方において主走査方向に沿って往復移動を行うキャリッジ２１と、このキャリッジ２１を往復可能に支持するキャリッジレール２２と、キャリッジ２１をその往復移動方向に駆動するキャリッジ搬送機構２３と、キャリッジ２１を主走査方向及び副走査方向に直交する方向（図１における上下方向）に移動させるキャリッジ上下動機構２４とを備えている。
【００７４】
キャリッジ２１は、主走査方向に沿って並列して配置された複数の記録ヘッド２１１と、これら記録ヘッド２１１から記録媒体Ｓ上に吐出されたインクに対して紫外線を照射する紫外線光源２１２（紫外線照射手段）とが搭載されている（図３参照）。
上記各記録ヘッド２１１は、いずれも副走査方向に並んだ複数のインク吐出ノズル（図示略）を有し、インク吐出方向が垂直下方に向けられている。また、各記録ヘッド２１１のインク吐出ノズルは、キャリッジ２１上において、副走査方向にドット間隔ずつずらして配置されている。これに加えて、各記録ヘッド２１１が副走査方向にずらして配置されているので、キャリッジ２１の主走査方向への一回の移動により、複数のライン本数分（記録ヘッド２１１の個体数×各ヘッドのノズル数）の画像形成が行われる。
【００７５】
ここで、インクとしては、紫外線の被照射により硬化する紫外線硬化性のインクを適用可能である。
この紫外線硬化性インクとして、例えば、紫外線の被照射により発生したカチオンを成長活性種としてモノマーやオリゴマーが重合していくカチオン重合性紫外線硬化性インクが使用されても良い。カチオン重合性紫外線硬化性インクは、低照度の光源でも硬化するためにプリンタの小型化・低価格化を実現するために他の紫外線硬化性インクであるラジカル重合性インクに比較しても有利である。また、ラジカル重合性光硬化インクは、光の被照射により硬化することで収縮するという性質を有しており、記録媒体Ｓをも収縮させるという欠点を持ちあわせているが、カチオン重合性紫外線硬化性インクは、ラジカル重合性光硬化インクに比較しても低収縮性であり、収縮が起こりやすい記録媒体Ｓにも記録できるようになっている。
【００７６】
紫外線光源２１２は、例えば、主走査方向に沿って並列して配置されており、この紫外線光源２１としては、例えば、高圧水銀ランプ、メタルハライドランプ、熱陰極管並びに冷陰極管等を適用可能となっている。
【００７７】
キャリッジ搬送機構２３は、例えば図示は省略するが、ＣＰＵ７により駆動が制御される駆動モータとその回転駆動力を直動移動力に変換してキャリッジ２１に付与するボールネジ機構或いはベルト機構等により構成される。また、駆動源たる駆動モータをキャリッジ２１に搭載してギア列等によりキャリッジレール２２に沿って移動力をキャリッジ２１に付与する構成としても良い。
【００７８】
また、キャリッジ上下動機構２４は、例えば図示は省略するが、ＣＰＵ７により駆動が制御される駆動モータと、その回転駆動力をキャリッジ２１に伝達するボールネジ機構或いはベルト機構等の所定の伝達機構とを備えて構成されている。このキャリッジ上下動機構２４は、プラテン３により支持された記録媒体Ｓと記録ヘッド２１１との間隔を調整する間隔調整手段を構成している。
【００７９】
ＲＡＭ（Random Access Memory）５は、例えば、揮発性の半導体メモリであり、ＣＰＵ７が処理中のプログラムやデータ等の作業領域、各種データ等を一時的に格納する格納領域等を有している。
【００８０】
ＲＯＭ（Read Only Memory）６は、読み出し専用のメモリであり、ＣＰＵ７により実行されるインクジェット記録装置１００としての各種の処理にかかるアプリケーションプログラムや、各種動作に使用するデータ等を記憶する。具体的には、ＲＯＭ６は、動作制御プログラム６ａと、繰出量情報算出プログラム６ｂとを記憶している。
【００８１】
ＣＰＵ（Central Processing Unit）７は、ＲＯＭ６に記憶されているインクジェット記録装置１００としての各種機能に関る各種のアプリケーションプログラムを読み出してＲＡＭ５内の作業領域に展開し、当該プログラムに従って当該インクジェット記録装置１００を統括的に制御する。具体的には、ＣＰＵ７は、搬送機構１により記録媒体Ｓを搬送し、当該記録媒体Ｓに対して記録ヘッド２１１からインクを吐出して形成された画像に紫外線光源２１２から紫外線を照射して画像を記録する画像記録動作の実行を制御する。
この画像記録動作において、ＣＰＵ７は、動作制御手段として、動作制御プログラム６ａに従って、ＲＦＩＤリーダ／ライタ１１７により読み取られた媒体関連動作データｄに基づいて、記録媒体Ｓに関連した媒体関連動作を制御する。具体的には、ＣＰＵ７は、ＲＦＩＤリーダ／ライタ１１７により読み取られたロール径データｄ１や媒体重量データｄ２に基づいて、駆動モータ１１３ｂの回転速度や駆動トルクを制御して、搬送機構１による記録媒体の搬送動作を実行するようになっている。また、ＣＰＵ７は、ＲＦＩＤリーダ／ライタ１１７により読み取られた媒体吸引関連データｄ３に基づいて、プラテン３による記録媒体Ｓの吸引状態を制御して、プラテン３による記録媒体Ｓの吸引動作を実行するようになっている。さらに、ＣＰＵ７は、ＲＦＩＤリーダ／ライタ１１７により読み取られた媒体厚データｄ４に基づいて、キャリッジ上下動機構２４により記録ヘッド２１１と記録媒体Ｓとの間隔を調整する間隔調整動作を実行するようになっている。
【００８２】
また、ＣＰＵ７は、繰出量情報算出手段として、繰出量情報算出プログラム６ｂに従って、搬送機構１により記録媒体Ｓの搬送動作が実行されることで記録媒体保持部１１２から繰り出された記録媒体Ｓの繰出長や繰出重量等の繰出量に係る繰出長データや繰出重量データを含む繰出量データを算出する。そして、ＣＰＵ７は、動作制御手段として、ＲＦＩＤリーダ／ライタ１１７により繰出量データのうちの媒体長データや繰出重量データを基にして修正されたロール径データｄ１や媒体重量データｄ２に基づいて、駆動モータ１１３ｂの回転速度や駆動トルクを制御するようになっている。
【００８３】
次に、ＣＰＵ７の制御下におけるインクジェット記録装置１００による画像記録動作について説明する。
ここで、記録媒体供給部１１には、それぞれ対応する幅の記録媒体Ｓが紙管Ｒに巻かれた記録媒体保持部１１２が配設されており、また、記録媒体保持部１４１が記録媒体巻取部１４に設置されているものとする。また、記録媒体Ｓがいずれか選択されると共に、記録媒体巻取部１４の紙管Ｒにまで繰り出されて、記録媒体Ｓの先端部が粘着テープにより貼着され、巻き取り可能状態にあるものとする。
【００８４】
ＣＰＵ７は、所定の入力手段を介して入力された画像データに基づいて、搬送機構１及びキャリッジ機構２を制御して当該インクジェット記録装置１００に画像記録動作を実行させる。
この画像記録動作においては、ＣＰＵ７は、ＲＯＭ６から動作制御プログラム６ａを読み出してＲＡＭ５に展開し、この動作制御プログラム６ａに従って、媒体関連動作として搬送動作、吸引動作及び間隔調整動作を実行させる。
具体的には、ＣＰＵ７は、ＲＦＩＤリーダ／ライタ１１７を制御して、ＩＣタグ１１６に記憶されているロール径データｄ１、媒体重量データｄ２、媒体吸引関連データｄ３及び媒体厚データｄ４を読み取らせる。ここで、読み取られたロール径データｄ１、媒体重量データｄ２、媒体吸引関連データｄ３及び媒体厚データｄ４は、ＲＡＭ５内の所定の格納領域に一旦格納される。
【００８５】
次に、ＣＰＵ７は、ＲＡＭ５に格納されたロール径データｄ１及び媒体重量データｄ２に基づいて、駆動モータ１１３ｂに対して所定の制御信号を出力して、駆動モータ１１３ｂの回転速度及び駆動トルクを制御する。さらに、ＣＰＵ７は、ＲＡＭ５に格納された媒体吸引関連データｄ３に基づいて、プラテン３に対して所定の制御信号を出力して、プラテン３による記録媒体Ｓの吸引状態を調整させる。また、ＣＰＵ７は、ＲＡＭ５に格納された媒体厚データｄ４に基づいて、キャリッジ上下動機構２４に対して所定の制御信号を出力して、キャリッジ上下動機構２４に記録ヘッド２１１と記録媒体Ｓとの間隔を調整させる。
【００８６】
そして、媒体関連動作の所定のタイミングにおいて、ＣＰＵ７は、ＲＯＭ６から繰出量情報算出プログラム６ｂを読み出してＲＡＭ５に展開し、この繰出量情報算出プログラム６ｂに従って、入力された画像データに応じた画像記録動作に基づいて駆動モータ１１３ｂの回転駆動により記録媒体保持部１１２から繰り出された記録媒体Ｓの繰出長及び繰出重量に係る繰出長データ及び繰出重量データを算出する。
続けて、ＣＰＵ７は、ＲＦＩＤリーダ／ライタ１１７を制御して、算出された繰出長データ及び繰出重量データをＩＣタグ１１６に書き込んで、このＩＣタグ１１６に記憶されているロール径データｄ１及び媒体重量データｄ２を更新する。これにより、記録媒体保持部１１２に保持され、画像記録動作の進行に応じて使用されることで所定の媒体長及び媒体重量が減少された記録媒体Ｓのロール径及び媒体重量に係る各々の情報がＩＣタグ１１６に格納された状態となる。
【００８７】
そして、ＣＰＵ７は、ＲＦＩＤリーダ／ライタ１１７を制御して、ＩＣタグ１１６に記憶されているロール径データｄ１及び媒体重量データｄ２を読み取らせ、読み取られたロール径データｄ１及び媒体重量データｄ２に基づいて、駆動モータ１１３ｂの回転速度及び駆動トルクを制御する。
即ち、記録媒体保持部１１２に保持された記録媒体Ｓは、インクジェット記録装置１００による画像記録動作の進行に従って当該記録媒体Ｓの長さが短くなって、紙管Ｒに巻かれた記録媒体Ｓのロールの外径が小さくなっていくとともに、記録媒体保持部１１２に保持されている記録媒体Ｓの重量が減少していく。そこで、ＣＰＵ７が、ロールの外径に応じて駆動モータ１１３ｂの回転速度を調節し、且つ、記録媒体Ｓの重量に応じて駆動モータ１１３ｂの駆動トルクを制御することにより、記録媒体Ｓの繰出量を適正な値に調節し、且つ、駆動モータ１１３ｂの回転駆動を適正に行うことができることとなって、キャリッジ機構２による画像記録に適正な記録媒体Ｓの搬送を実現することができる。
【００８８】
以上のように、本実施の形態のインクジェット記録装置１００によれば、ＲＦＩＤリーダ／ライタ１１７により記録媒体保持部１１２に設けられたＩＣタグ１１６から媒体関連動作データｄを読み取って、読み取られた媒体関連動作データｄに基づいて、画像記録動作のうちの記録媒体Ｓに関連した媒体関連動作の制御を行う。即ち、ＣＰＵ７は、ロール径データｄ１及び媒体重量データｄ２に基づいて、駆動モータ１１３ｂの回転速度及び駆動トルクを制御して記録媒体Ｓの搬送を適正に行うことができる。また、ＣＰＵ７は、媒体吸引関連データｄ３に基づいて、プラテン３による記録媒体Ｓの吸引動作を適正に制御して、記録ヘッド２１１からのインク吐出の際の記録媒体Ｓの平面性を向上させることができる。さらに、ＣＰＵ７は、媒体厚データｄ４に基づいて、キャリッジ上下動機構２４に記録媒体Ｓと記録ヘッド２１１との間隔を適正に調節させることができる。
従って、記録媒体Ｓを交換しても、交換された記録媒体Ｓを保持する記録媒体保持部１１２に設けられたＩＣタグ１１６から媒体関連動作データｄの取得を簡便且つ確実に行うことができ、読み取られた媒体関連動作データｄに基づいて、媒体関連動作の制御を行うことができる。即ち、記録媒体保持部１１２を交換すると、当該記録媒体保持部１１２に保持された記録媒体Ｓの長さ（ロール径）、重量、材質、厚さ、幅、密度等が変更される場合があるが、交換された記録媒体保持部１１２に設けられたＩＣタグ１１６からロール径データｄ１、媒体重量データｄ２、媒体吸引関連データｄ３及び媒体厚データｄ４を取得し、取得された各種のデータに基づいて、駆動モータ１１３ｂの回転速度及び駆動トルクの制御、プラテン３による記録媒体Ｓの吸引状態の制御並びに記録媒体Ｓと記録ヘッド２１１との間隔の調節を適正に行うことができる。
このように、記録媒体Ｓの交換の自由度がより大きいインクジェット記録装置１００を提供することができる。
【００８９】
また、ＣＰＵ７は、搬送動作が実行されて記録媒体保持部１１２から繰り出された記録媒体Ｓの繰出量に係る繰出量データを算出して、この繰出量データに基づいて、ＲＦＩＤリーダ／ライタ１１７によりＩＣタグ１１６に記憶されている媒体量に係るデータの修正を行う。即ち、ＣＰＵ７は、駆動モータ１１３ｂの回転駆動により記録媒体保持部１１２から繰り出された記録媒体Ｓの長さに係る繰出長データを算出して、この繰出長データに基づいて、ＩＣタグ１１６に記憶されているロール径データｄ１の修正を行うことができる。また、ＣＰＵ７は、駆動モータ１１３ｂの回転駆動により記録媒体保持部１１２から繰り出された記録媒体Ｓの重量に係る繰出重量データを算出して、この繰出重量データに基づいて、ＲＦＩＤリーダ／ライタ１１７によりＩＣタグ１１６に記憶されている媒体重量データｄ２の修正を行うことができる。
そして、ＣＰＵ７は、修正されたロール径データｄ１及び媒体重量データｄ２に基づいて、駆動モータ１１３ｂの回転速度及び駆動トルクを制御して記録媒体Ｓの搬送を適正に行うことができる。即ち、記録媒体Ｓの搬送動作の進行に従って記録媒体保持部１１２に保持された記録媒体Ｓの長さ及び重量が減少して、記録媒体Ｓのロールの外径及び重量が減少することとなるが、この場合であっても、ロール径データｄ１及び媒体重量データｄ２を修正することによって、駆動モータ１１３ｂによる回転速度及び駆動トルクの制御を適正に行うことができるので、従来のように所定の検知手段を設けることなく、記録媒体Ｓの搬送動作を適正に行うことができる。
【００９０】
また、ＩＣタグ１１６からの媒体関連動作データｄの読み取り及び媒体関連動作データｄの修正をＲＦＩＤ方式により適正に行うことができる。また、ＩＣタグ１１６を駆動用の電源を必要としない構成とすることにより、記録媒体Ｓの変更の際に記録媒体保持部１１２の交換作業をより簡便に行うことができる。
【００９１】
なお、本発明は、上記実施の形態に限定されることなく、本発明の趣旨を逸脱しない範囲において、種々の改良並びに設計の変更を行っても良い。
例えば、媒体関連動作として、搬送動作、吸引動作及び間隔調整動作を例示したが、これに限られるものではなく、画像記録動作のうちの記録媒体Ｓに関連した動作であれば如何なる動作であっても良い。
また、間隔調整手段としてキャリッジ２１を上下動させるキャリッジ上下動機構２４を例示したが、これに限られるものではなく、例えば、プラテン３を上下動させる駆動機構であっても良い。
さらに、情報記憶部からの媒体関連動作データｄの読み取り又は修正は、ＲＦＩＤ方式に限られず、他の手段を用いて行っても良い。
【図面の簡単な説明】
【００９２】
【図１】本発明を適用した好適な一実施の形態として例示するインクジェット記録装置の概略構成を示す側面図である。
【図２】図１のインクジェット記録装置の概略構成を示す正面図である。
【図３】図１のインクジェット記録装置の要部構成を示す機能ブロック図である。
【符号の説明】
【００９３】
１００    インクジェット記録装置
１        搬送機構（搬送部）
１１１    フレーム部（装填部）
１１２    記録媒体保持部
１１３ａ  駆動シャフト（装填部）
１１３ｂ  駆動モータ（搬送モータ）
１１４    シャフト（装填部）
１１６    ＩＣタグ（情報記憶部）
１１７    ＲＦＩＤリーダ／ライタ（情報読取手段、情報修正手段）
２１１    記録ヘッド
２１２    紫外線光源（紫外線照射手段）
２４      キャリッジ上下動機構（間隔調整手段）
３        プラテン
７        ＣＰＵ（動作制御手段、繰出量情報算出手段）
ｄ        媒体関連動作データ
ｄ１      ロール径データ
ｄ２      媒体重量データ
ｄ３      媒体吸引関連データ
ｄ４      媒体厚データ
【図１】
2005119802.tif 000003
【図２】
2005119802.tif 000004
【図３】
2005119802.tif 000005